(57)【特許請求の範囲】
【請求項１】
シリンダ体内に摺動可能に収装されながらシリンダ体内に出没可能に挿通されるロッド体の外周に配設されてシリンダ体内に一方の油室と他方の油室を画成するピストン体を有すると共に、ピストン体が一方の油室と他方の油室との連通を許容する減衰手段を有してなるダンパにおいて、上記ピストン体を上記ロッド体の外周にあって上記ロッド体の軸線方向に移動可能に介装されながら一方の油室に端面を対向させる一方の分割ピストン体と他方の油室に端面を対向させる他方の分割ピストン体とで構成し、上記一方の分割ピストン体と上記他方の分割ピストン体の各外周と上記シリンダ体の内周との間に作動油の通過を許容する流路を形成し、さらに、上記一方の分割ピストン体と上記他方の分割ピストン体との間に両者を離す方向に附勢する附勢手段を設け、上記減衰手段が上記一方の分割ピストン体と上記他方の分割ピストン体とに亙って形成され、上記附勢手段によって上記一方の分割ピストン体と上記他方の分割ピストン体とが離されているときに上記一方の油室と上記他方の油室とが上記減衰手段と上記流路とを介して連通し、上記一方の分割ピストン体と上記他方の分割ピストン体とが上記附勢手段に抗して近接する時に上記流路を介して上記一方の油室と上記他方の油室との連通を許容しながら上記減衰手段による上記一方の油室と上記他方の油室との連通を遮断させることを特徴とするダンパ。
【請求項２】
一方の分割ピストン体および他方の分割ピストン体におけるそれぞれの端面を対向させる油室側への移動がロッド体の外周に配設のストッパ手段によって阻止されてなる請求項１に記載のダンパ。
【請求項３】
一方の分割ピストン体および他方の分割ピストン体が端面を対向させる油室における油圧の高圧化によって附勢手段に抗してのロッド体の外周での移動が許容されてなる請求項１又は２に記載のダンパ。
【請求項４】
一方の分割ピストン体および他方の分割ピストン体が端面を対向させる油室に配設される規制手段による規制によって附勢手段に抗してのロッド体の外周での移動が許容されてなる請求項１、２又は３に記載のダンパ。
【請求項５】
軸芯部にロッド体を挿通させる一方の油室および他方の油室における断面積を同一にする両ロッド型とされてなる請求項１、２、３又は４に記載のダンパ。
【請求項６】
一方の油室がシリンダ体内にピストン体で画成されるピストン側油室とされると共に他方の油室がシリンダ体内にピストン体で画成されるロッド側油室とされる片ロッド型とされてなる請求項１、２、３、４又は５に記載のダンパ。
【請求項７】
附勢手段がバネ部材からなる請求項１、２、３、４、５、又は６に記載のダンパ。
【請求項８】
減衰手段が一方の分割ピストン体および他方の分割ピストン体に開穿された固定オリフィスからなる請求項１、２、３、４、５、６、又は７に記載のダンパ。
【発明の詳細な説明】
【技術分野】
【０００１】
この発明は、ダンパに関し、特に、たとえば、自動二輪車の前輪側に架装されて自動二輪車における前輪の振れに対処するステアリングダンパとしての利用に向き、あるいは、小型船舶の操縦席に装備されて操縦席における上下動に対処するシートダンパとしての利用に向くダンパの改良に関する。
【背景技術】
【０００２】
たとえば、自動二輪車の前輪側に架装されて自動二輪車における前輪の振れに対処するステアリングダンパとしての利用に向き、あるいは、小型船舶の操縦席に装備されて操縦席における上下動に対処するシートダンパとしての利用に向くダンパとしては、従来から種々の提案がある。
【０００３】
その中で、たとえば、特許文献１には、筒型に形成されたダンパであって、シリンダ体内の軸芯部に挿通されるロッド体の両端部がシリンダ体外に突出する両ロッド型に形成されると共に、シリンダ体内に位置決められるロッド体の中央部には減衰手段を有しながらシリンダ体内に同じ断面積となる一方の油室および他方の油室を画成するピストン体が保持されてなるとするものが開示されている。
【０００４】
そして、この特許文献１に開示のダンパにあって、ピストン体における減衰手段は、明細書の記載および図面に示すところでは、固定オリフィスからなるとし、明細書中への記載だけで図示などによる具体的な構成の開示はないが、発生する減衰力を可変にする構成とされるとしても良いとしている。
【０００５】
それゆえ、この特許文献１に開示のダンパにあっては、シリンダ体に対してロッド体が言わば出没するときに、広狭する両方の油室がピストン体に配設の減衰手段を介して連通し、このとき、減衰手段による減衰作用でシリンダ体とロッド体との間における相対移動が抑制される傾向になる。
【０００６】
その結果、このダンパが、たとえば、自動二輪車における前輪側に架装されるときには、すなわち、シリンダ体が自動二輪車における車体側に連結されると共にロッド体の一方が自動二輪車における前輪側に連結されるときには、シミーなどによる自動二輪車における前輪の振れを減衰手段で減衰する、すなわち、抑制することが可能になり、自動二輪車における乗り心地を改善し得ることになる。
【特許文献１】実開平１‐７８７３９号公報（実用新案登録請求の範囲（１），同（２），明細書第８頁第９行から同第１３行，第１図，第２図）
【発明の開示】
【発明が解決しようとする課題】
【０００７】
しかしながら、上記した特許文献１に開示の提案にあっては、減衰手段が固定オリフィスを有してなるとするから、たとえば、自動二輪車における乗り心地の改善が思うに任せなくなると指摘される可能性がある。
【０００８】
すなわち、ピストン体に配設の減衰手段が固定オリフィスからなるときには、その機能する領域が限定されることになり、たとえば、ピストン速度が遅く作動油の通過量が少ない低速領域にあるときにオリフィスが機能するように設定すると、ピストン速度が高速領域になる場合には、オリフィスにおける作動油の通過量が多くなり、その分、オリフィスの絞り抵抗が大きくなり過ぎてダンパがロック状態に近い状態になり、好ましいダンパ機能の発揮を期待できなくすることになる。
【０００９】
そして、ピストン速度が高速領域になるときにオリフィスが機能するように設定すると、ピストン速度が低速領域にあるときは、オリフィスによる減衰作用が期待できなくなり、同じく好ましいダンパ機能の発揮を期待できなくすることになる。
【００１０】
その結果、上記した特許文献１に開示のダンパを自動二輪車の前輪側に架装して自動二輪車における前輪の振れを抑制するステアリングダンパに利用するとしても、たとえば、シミーなどによるピストン速度が遅い場合の振れを抑制できるとする場合には、キックバックなどによるピストン速度が速くなる場合の振れを抑制できなくなり、あるいは、逆に、キックバックなどを抑制できるとする場合には、シミーなどを抑制できなくなる不具合を招くことになる。
【００１１】
ちなみに、上記した特許文献１では、減衰手段が発生減衰力を可変にするとしても良い旨表明しているが、発生減衰力を可変にするための具体的な開示がなく、したがって、ピストンの速度領域が低速領域である場合と高速領域となる場合のいずれか一方に対処し得ないことは明らかである。
【００１２】
この発明は、このような現状を鑑みて創案されたものであって、その目的とするところは、たとえば、自動二輪車の前輪側に架装されて自動二輪車における前輪の振れに対処するステアリングダンパとしての利用に向き、あるいは、小型船舶の操縦席に装備されて操縦席における上下動に対処するシートダンパとしての利用に向くダンパを提供することである。
【課題を解決するための手段】
【００１３】
上記した目的を達成するため、本発明の手段は、シリンダ体内に摺動可能に収装されながらシリンダ体内に出没可能に挿通されるロッド体の外周に配設されてシリンダ体内に一方の油室と他方の油室を画成するピストン体を有すると共に、ピストン体が一方の油室と他方の油室との連通を許容する減衰手段を有してなるダンパにおいて、上記ピストン体を上記ロッド体の外周にあって上記ロッド体の軸線方向に移動可能に介装されながら一方の油室に端面を対向させる一方の分割ピストン体と他方の油室に端面を対向させる他方の分割ピストン体とで構成し、上記一方の分割ピストン体と上記他方の分割ピストン体の各外周と上記シリンダ体の内周との間に作動油の通過を許容する流路を形成し、さらに、上記一方の分割ピストン体と上記他方の分割ピストン体との間に両者を離す方向に附勢する附勢手段を設け、上記減衰手段が上記一方の分割ピストン体と上記他方の分割ピストン体とに亙って形成され、上記附勢手段によって上記一方の分割ピストン体と上記他方の分割ピストン体とが離されているときに上記一方の油室と上記他方の油室とが上記減衰手段と上記流路とを介して連通し、上記一方の分割ピストン体と上記他方の分割ピストン体とが上記附勢手段に抗して近接する時に上記流路を介して上記一方の油室と上記他方の油室との連通を許容しながら上記減衰手段による上記一方の油室と上記他方の油室との連通を遮断させることを特徴とするものである。
【発明の効果】
【００１４】
それゆえ、この発明のダンパにあって、相対的に看て、シリンダ体内でロッド体が移動するときには、基本的には、ロッド体の外周に配設されているピストン体たる両方の分割ピストン体がロッド体の移動に追随して移動するようになる。
【００１５】
そして、このときには、ロッド体が移動しようとする側の油室が高圧側になるから、基本的には、この高圧側となる油室に対向する端面を有する分割ピストン体がその高圧の影響を受けることになる。
【００１６】
そしてまた、この高圧が附勢手段の附勢力に優るとき、分割ピストン体が附勢手段の附勢力に抗していわゆる後退することになり、両方の分割ピストン体が近接する状況になると、減衰手段を介しての両方の油室における連通が阻止されて、シリンダ体に対するロッド体の移動が大きく抑制される傾向になる。
【００１７】
上記と逆に、高圧が附勢手段の附勢力に劣るとき、分割ピストン体は附勢手段の附勢力によっていわゆる静止状態におかれ、このとき、減衰手段を介しての両方の油室における連通が許容されて、シリンダ体に対するロッド体の移動が小さく抑制される傾向になる。
特に、減衰手段が閉鎖されて一方の油室と他方の油室における連通が阻止されるときにも各ピストン体の外周とシリンダの内周との間に流路が確保されているので、シリンダ体内にいわゆる完全なるオイルロック状態が発現されない。
従って、たとえば、シリンダ体とロッドとの間のシール部材の破損が回避され、ダンパの恒久的な利用が可能になるのはもちろんのこと、いわゆるゴツゴツ感を自動二輪車のライダーに体感させない。
減衰手段が開放されているか閉鎖されているかに拘わりなく、一方の油室あるいは他方の油室が高圧化されるときには、両方の油室が上記の隙間からなる流路を介して連通されることになる。
そして、減衰手段が開放されている場合には、減衰手段と流路の両方を作動油が通過することになり、いわゆる低い減衰力の発生状態下にシリンダ体に対するロッド体の移動が抑制される傾向になる。
減衰手段が閉鎖されている場合には、流路のみを作動油が通過することになり、いわゆる高い減衰力の発生状態下にシリンダ体に対するロッド体の移動が抑制される傾向になる。
【発明を実施するための最良の形態】
【００１８】
以下本発明の実施の一例を図１に基づいて説明する。
各実施の形態に係わるダンパは、シリンダ体１内に摺動可能に収装されながらシリンダ体１内に出没可能に挿通されるロッド体２の外周に配設されてシリンダ体１内に一方の油室Ｒ１と他方の油室Ｒ２を画成するピストン体３を有すると共に、ピストン体３が一方の油室Ｒ１と他方の油室Ｒ２との連通を許容する減衰手段３１ａ、３２ａを有している。
そして、上記ピストン体１を上記ロッド体２の外周にあって上記ロッド体２の軸線方向に移動可能に介装されながら一方の油室Ｒ１に端面を対向させる一方の分割ピストン体３１と他方の油室Ｒ２に端面を対向させる他方の分割ピストン体３２とで構成している。
また、上記一方の分割ピストン体３１と上記他方の分割ピストン体３２の各外周と上記シリンダ体１の内周との間に作動油の通過を許容する流路を形成している。
さらに、上記一方の分割ピストン体３１と上記他方の分割ピストン体３２との間に両者を離す方向に附勢する附勢手段４を設けている。
また、上記減衰手段３１ａ，３２ａが上記一方の分割ピストン体３１と上記他方の分割ピストン体３２とに亙って形成されている。
これにより、上記附勢手段４によって上記一方の分割ピストン体３１と上記他方の分割ピストン体３２とが離されているときに上記一方の油室Ｒ１と上記他方の油室Ｒ２とが上記減衰手段３１ａ、３２ａと上記流路とを介して連通し、上記一方の分割ピストン体３１と上記他方の分割ピストン体３２とが上記附勢手段４に抗して近接する時に上記流路を介して上記一方の油室Ｒ１と上記他方の油室Ｒ２との連通を許容しながら上記減衰手段３１ａ、３２ａによる上記一方の油室Ｒ１と上記他方の油室Ｒ２との連通を遮断させるようになっている。
以下更に詳しく説明する。
図１に示すダンパは、たとえば、自動二輪車の前輪側に架装されて自動二輪車における前輪の振れに対処するステアリングダンパである。
【００１９】
すなわち、このダンパは、筒型のダンパとされ、しかも、シリンダ体１の両端部からロッド体２を軸受部材１１およびシール部材１２の摺接下にシリンダ体１の外部に突出させる両ロッド型に形成されてなるとしている。
【００２０】
ちなみに、このダンパが自動二輪車の前輪側に架装される際には、たとえば、シリンダ体１が自動二輪車における車体側に連結されるとき、ロッド体２の一方が自動二輪車における前輪側に連結されることになる。
【００２１】
そして、このダンパは、自動二輪車における前輪に入力されるシミーやキックバックなどによる振れを減衰手段で抑制して、自動二輪車における乗り心地を改善するとしている。
【００２２】
そのため、このダンパは、まず、シリンダ体１内に摺動可能に収装されながらシリンダ体１内に出没可能に挿通されるロッド体２の外周に配設されてシリンダ体１内に一方の油室Ｒ１と他方の油室Ｒ２を画成するピストン体３を有してなるとしている。
【００２３】
このとき、このダンパにあって、両方の油室Ｒ１，Ｒ２は、それぞれ軸芯部に同径となるロッド体２を挿通させることでそれぞれにおける断面積を同一にするとしており、したがって、減衰手段が同じであることを条件にするが、シリンダ体１に対してロッド体２が出没するときには、同じ減衰特性の具現化を可能にし得ることになる。
【００２４】
そして、このダンパにあって、ピストン体３は、ロッド体２の外周に単一の態様に配設されるのではなく、ロッド体２の外周にあってロッド体２の図中で左右方向となる軸線方向に移動可能に介装されながら一方の油室Ｒ１に端面を対向させる一方の分割ピストン体３１と、他方の油室Ｒ２に端面を対向させる他方の分割ピストン体３２とからなるとしている。
【００２５】
また、このダンパにあって、ピストン体３は、一方の分割ピストン体３１と他方の分割ピストン体３２との間に両者を離す方向に附勢する附勢手段を、すなわち、図示するところでは、バネ部材４を有してなるとしている。
【００２６】
ちなみに、附勢手段たるバネ部材４は、図示するところでは、円錐コイルバネ からなるとしているが、凡そ分割ピストン体３１，３２の近接時におけるいわゆる摺動ストロークを減殺しない限りにおいて自由な構成が選択されて良く、図示しないが、たとえば、皿バネからなるとしても良く、さらには、弾性に富むゴム材や合成樹脂材で形成される環状バネからなるとしても良い。
【００２７】
さらに、このダンパにあって、ピストン体３は、一方の油室Ｒ１と他方の油室Ｒ２との連通を許容する減衰手段を有してなるとしており、この減衰手段は、図示するところでは、ピストン体３が一方の分割ピストン体３１と他方の分割ピストン体３２とからなるから、両方の分割ピストン体３１，３２に亙って形成されてなるとし、それぞれの分割ピストン体３１，３２に開穿されたオリフィス３１ａ，３２ａからなるとしている。
【００２８】
ちなみに、このオリフィス３１ａ，３２ａについてだが、図示するところでは、固定オリフィスからなるとしており、また、その数について、図示するところでは、複数とされているが、これに代えて、図示しないが、単数とされるとしても良い。
【００２９】
そして、この減衰手段たるオリフィス３１ａ，３２ａは、附勢手段の附勢力によって、すなわち、バネ部材４のバネ力によって両方の分割ピストン体３１，３２が離されているときに両方の油室Ｒ１，Ｒ２がこの減衰手段を介して連通することを許容するとしている（図２参照）。
【００３０】
そしてまた、この減衰手段たるオリフィス３１ａ，３２ａは、たとえば、それぞれの端面を対向させる油室Ｒ１，Ｒ２における油圧の高圧化によって、すなわち、いずれか一方の油室Ｒ１，Ｒ２における油圧が高圧化されて、たとえば、図３に示すように、分割ピストン体３１に作用する推力が附勢部材たるバネ部材４のバネ力に優ることになるとき、分割ピストン体３１がバネ部材４のバネ力に抗して分割ピストン体３２に近接するときにこの減衰手段を介しての両方の油室Ｒ１，Ｒ２の連通を阻止するとしている。
【００３１】
もっとも、油室Ｒ１あるいはＲ２が高圧化されるとしても、その高圧が附勢手段たるバネ部材４のバネ力にわずかに勝る程度で、したがって、両方の分割ピストン体３１，３２がわずかに後退する程度の場合には、上記した減衰手段たるオリフィス３１ａ，３２ａは閉鎖されずして作動油の通過が許容される、すなわち、オリフィス３１ａ，３２ａを介して両方の油室Ｒ１，Ｒ２が連通し得ることになるのはもちろんである。
【００３２】
ところで、図示するダンパにあっては、ピストン体３たる両方の分割ピストン体３１，３２の外周とシリンダ体１の内周との間に作動油の通過を許容する隙間からなる流路が形成されてなるとしている。
【００３３】
すなわち、図示する実施形態では、両方の分割ピストン体３１，３２がそれぞれの端面を対向させる油室Ｒ１，Ｒ２における油圧の高圧化によってバネ部材４のバネ力に抗していわゆる後退し、したっがて、減衰手段たるオリフィス３１ａ，３２ａが閉鎖されて両方の油室Ｒ１，Ｒ２における連通が阻止されるときにも、上記の隙間からなる流路が確保されることで、シリンダ体１内にいわゆる完全なるオイルロック状態が発現されないようにしている。
【００３４】
このように、シリンダ体１内に完全なるオイルロック状態が発現されないようにすることで、たとえば、シール部材１２の破損が回避され、したっがて、ダンパの恒久的な利用が可能になるのはもちろんのこと、いわゆるゴツゴツ感を自動二輪車のライダーにいたずらに体感させないようにすることが可能になる。
【００３５】
それゆえ、図示するダンパにあっては、減衰手段たるオリフィス３１ａ，３２ａが開放されているか閉鎖されているかに拘わりなく、一方の油室Ｒ１あるいは他方の油室Ｒ２が高圧化されるときには、両方の油室Ｒ１，Ｒ２が上記の隙間からなる流路を介して連通されることになる。
【００３６】
そして、減衰手段たるオリフィス３１ａ，３２ａが開放されている場合には、図２に示すように、オリフィス３１ａ，３２ａと流路の両方を作動油が通過することになり、いわゆる低い減衰力の発生状態下にこのダンパにおいてシリンダ体１に対するロッド体２の移動が抑制される傾向になる。
【００３７】
そしてまた、減衰手段たるオリフィス３１ａ，３２ａが閉鎖されている場合には、図３に示すように、流路のみを作動油が通過することになり、いわゆる高い減衰力の発生状態下にこのダンパにおいてシリンダ体１に対するロッド体２の移動が抑制される傾向になる。
【００３８】
ところで、上記したピストン体３にあって、両方の分割ピストン体３１，３２の間は、附勢部材の附勢力によって離されるとしているが、いわゆる無制限に離されるのではなく、減衰手段たるオリフィス３１ａ，３２ａが機能し得る領域で、すなわち、両方の分割ピストン体３１，３２が近接してオリフィス３１ａ，３２ａを閉鎖するとき、両方の分割ピストン体３１，３２がいたずらに摺動しなくても済む間隔に維持されるように設定されるとしている。
【００３９】
そして、そのために、図示するところでは、両方の分割ピストン体３１，３２におけるそれぞれの端面を対向させる油室Ｒ１，Ｒ２側への移動がロッド体２の外周に配設のストッパ手段たるストップリング５によって阻止されてなるとしている。
【００４０】
前記したところは、このダンパにあって、ピストン体３たる分割ピストン体３１あるいは３２が移動するのは、それぞれが対向することになる油室Ｒ１あるいはＲ２における油圧の高圧化、すなわち、ピストン速度に起因する。
【００４１】
それに対して、図４に示すところは、ピストン体３たる両方の分割ピストン体３１，３２が移動するのは、その移動位置に依存するとする場合の実施形態のダンパであって、以下には、これについて説明する。
【００４２】
ちなみに、この図４に示すところにあって、その構成が前記した図１に示すダンパにおける構成と同等となるところについては、要する場合を除き、図４中に同一の符号を附するのみとしてその詳しい説明を省略する。
【００４３】
すなわち、この図４に示すダンパにあっては、シリンダ体１，ロッド体２およびピストン体３の構成は、前記した実施形態の場合と同様であるが、一方の油室Ｒ１および他方の油室Ｒ１に規制手段としてのコイルスプリング６をそれぞれ有してなるとしている。
【００４４】
そして、このコイルスプリング６は、いわゆる基端がシリンダ体１の端部に担持されるに対して先端がピストン体３に対向するとしており、したがって、ロッド体２がシリンダ体１に対して大きいストロークで移動する場合には、たとえば、図５に示すように、他方の分割ピストン体３２がコイルスプリング６の先端に衝突することになる。
【００４５】
そして、このときには、他方の分割ピストン体３２が附勢手段たるバネ部材４のバネ力に抗していわゆる後退して一方の分割ピストン体３１に近接することになり、したがって、ピストン体３に配設の減衰手段たるオリフィス３１ａ，３２ａが閉鎖されることになる。
【００４６】
その結果、このダンパにあっては、シリンダ体１内でロッド体２が移動してピストン体３たる分割ピストン体３１，３２が規制手段たるコイルスプリング６に衝突することになるまでのストローク中には、減衰手段たるオリフィス３１ａ，３２ａを介して両方の油室Ｒ１，Ｒ２が連通しているから、いわゆるソフトな減衰力発生によって自動二輪車の前輪に入力されるシミーなどの小さい振幅の振動を抑制することが可能になる。
【００４７】
そして、シリンダ体１内で移動するロッド体２が大きいストロークで移動する場合には、ピストン体３たる分割ピストン体３１，３２が規制手段たるコイルスプリング６に衝突するから、その結果として減衰手段たるオリフィス３１ａ，３２ａが閉鎖されて両方の油室Ｒ１，Ｒ２の連通が阻止されるから、いわゆるハードな減衰力発生によって自動二輪車の前輪に入力されるキックバックなどの大きい振幅の振動を抑制することが可能になる。
【００４８】
以上からすれば、上記した規制手段は、たとえば、弾性に富むゴム材や合成樹脂材からなる筒状体に代えるとしても良く、また、筒状に形成されたエアバックなどからなるとしても良い。
【００４９】
ちなみに、上記した規制手段は、シリンダ体１内で浮動構造に配設されてなるとしても良いが、この規制手段が浮動することで、金属音の発生などが危惧される場合には、軽圧入などの方策でシリンダ体１に基端部が連結されてなるとするのが好ましいであろう。
【００５０】
図６に示すところは、この発明によるダンパが、詳しくは図示しないが、小型船舶の操縦席に装備されて操縦席における上下動に対処するシートダンパとされるものであって、基本的には、汎用されている単筒型もしくは複筒型の油圧緩衝器としての構成を備えてなるとしている。
【００５１】
そこで、以下には、この図６に示すダンパについて説明するが、その構成が前記した図１あるいは図４に示すダンパにおける構成と同等となるところについては、要する場合を除き、図６中に同一の符号を附するのみとしてその詳しい説明を省略する。
【００５２】
すなわち、この図６に示すダンパは、一方の油室Ｒ１がシリンダ体１内にピストン体３で画成されて図中で左側の油室となるピストン側油室とされると共に、他方の油室Ｒ２がシリンダ体内にピストン体３で画成されて図中で右側となるロッド側油室とされる片ロッド型とされてなる。
【００５３】
そして、このダンパにあっても、シリンダ体１内に摺動可能に収装されながらシリンダ体１内に出没可能に挿通されるロッド体２の外周に配設されてシリンダ体１内に一方の油室Ｒ１と他方の油室Ｒ２を画成するピストン体３を有すると共に、ピストン体３が一方の油室Ｒ１と他方の油室２との連通を許容する減衰手段を有してなるとしている。
【００５４】
そしてまた、このダンパにあっても、ピストン体３は、両方の分割ピストン体３１，３２からなり、この両方の分割ピストン体３１，３２は、それぞれ減衰手段とされるオリフィス３１ａ，３２ａを有すると共に、両者間に附勢手段たるバネ部材４が配設されてなるとしている。
【００５５】
それゆえ、このダンパにあっては、たとえば、シリンダ体１が船体側に連結されて起立され、ロッド体２が操縦席に連結されとする場合に、操縦席の支持脚を構成しながら、たとえば、船舶が波によって上下動されるときに、操縦席にその影響を与えないようにして、操縦席における座り心地を改善することが可能になると言い得ることになる。
【００５６】
ちなみに、このダンパにあっても、これが伸縮作動するときのピストン速度が遅い場合には、いわゆるソフトな座り心地を発現させ、逆にピストン速度が速い場合には、いわゆるハードな減衰力の発生状態になって、操縦者の体がいたずらに沈み込むような不具合の招来を回避し得ることになる。
【００５７】
なお、このダンパにあっても、上記した速度依存とするのに代えて、ピストン側油室およびロッド側油室にそれぞれ規制手段としてのコイルスプリング６を有するとして位置依存とするとしても良いことはもちろんである。
【００５８】
前記したところは、この発明のダンパがステアリングダンパあるいはシートダンパとして具現化される場合を例にして説明したが、この発明が意図するところからすれば、凡そダンパ機能の発揮を期待する限りにはその具現化が可能になるのはもちろんである。
【００５９】
また、前記したところでは、油温補償機能について、説明しなかったが、凡そこの種のダンパが油温補償用のアキュムレータなどを有することは周知とされていることであり、この発明の具現化にあっても油温補償用のアキュムレータなどを有するのはもちろんである。
【図面の簡単な説明】
【００６０】
【図１】この発明の一実施形態によるダンパを一部破断して示す断面図である。
【図２】図１のダンパにおけるピストン体部分の一作動状態を拡大して示す部分半截断面図である。
【図３】同じく図１のダンパにおけるピストン体部分の他の作動状態を図２と同様に示す図である。
【図４】この発明の他の実施形態によるダンパを図１と同様に示す図である。
【図５】図４のダンパにおけるピストン体部分の一作動状態を図２と同様に示す図である。
【図６】この発明のさらに他の実施形態によるダンパの要部を示す部分拡大半截断面図である。
【符号の説明】
【００６１】
１  シリンダ体
２  ロッド体
３  ピストン体
４  附勢手段たるバネ部材
５  ストッパ手段たるストップリング
６  規制手段たるコイルスプリング
３１  一方の分割ピストン体
３１ａ，３２ａ  減衰手段たるオリフィス
３２  他方の分割ピストン体
Ｒ１  一方の油室
Ｒ２  他方の油室
【図１】
0004733565.tif 000002
【図２】
0004733565.tif 000003
【図３】
0004733565.tif 000004
【図４】
0004733565.tif 000005
【図５】
0004733565.tif 000006
【図６】
0004733565.tif 000007